(57)【要約】【課題】遺体の口腔に装着される義歯において、人の死後口腔は筋力の無力化により口腔安静位に見られる状態となり、口唇は軽度の開咬状態を呈するため正面より最大でも上下顎六前歯と一部側方の臼歯が観察される模様となり、この上下六前歯の見える範囲を審美口腔装具により口腔内に詰められた綿を見えなくし普通観を得ることを可能とする。【解決手段】上顎１ａに配列した前歯牙２ａと、下顎１ｂに配列した前歯牙２ｂとの噛み合わせ部３の上下の歯牙を樹脂で連結することを特徴とする葬儀用審美口腔装具であって、ポリ乳酸樹脂で製作した上顎に配列した前歯牙２ａと、下顎に配列した前歯牙２ｂとの接続部４はポリ乳酸樹脂で連結されるものであること、上顎の端部と下顎の端部に形成した周縁部１を唇と歯茎によりその間に挟着させる義歯であることを特徴とする。【選択図】図２
0003126461.tif 000002
【実用新案登録請求の範囲】
【請求項１】
上顎に配列した前歯牙と、下顎に配列した前歯牙との噛み合わせ部で上下の歯牙を連結する接合部を有することを特徴とする葬儀用審美口腔装具。
【請求項２】
ポリ乳酸樹脂で製作した上顎に配列した前歯牙と、下顎に配列した前歯牙とをポリ乳酸樹脂で連結されるものであることを特徴とする請求項１に記載の葬儀用審美口腔装具。
【請求項３】
上顎と下顎の周囲に唇と歯茎によりその間に挟着される周縁部を有する義歯であることを特徴とする請求項１又は２に記載の葬儀用審美口腔装具。
【考案の詳細な説明】
【技術分野】
【０００１】
本考案は、上顎の歯牙と下顎の歯牙の噛み合わせ部が連結された義歯であって、唇と歯茎によりその間に義歯の周縁部を挟み込み、装着時に噛み合わせ部のずれが生じないので口腔への装着が容易な葬儀用審美口腔装具に関するものである。
【背景技術】
【０００２】
葬祭用義歯に関連して、義歯は、遺体（被葬者）の顔面の形を整える目的で、顔面を美しく整える所謂死に装束の一部として実用に共されている。
実用の葬儀用の義歯は、上顎用と下顎用とはそれぞれ別体に造られたものであるためそれを使用するときも、それぞれに遺体の歯茎に嵌め合わせて口腔に装着される。特許文献１〜２などにおいては、義歯の上顎と下顎に形成された凹部を遺体の歯茎に被せることにより口腔に装着するので、歯茎が消耗して小さく退化している場合に歯茎に義歯の顎の凹部を被せることは、義歯の口腔への固定に困難を伴い、且義歯の上顎と下顎の位置関係がずれて噛み合わせが悪くなるなどの問題があった。
葬儀用義歯の材料として義歯を作る素材によっては、火葬に伏されて焼却する前に上顎用義歯と下顎用義歯がそれぞれに火葬後にその炉内に遺骨と共に残ったり、熱によって義歯が有害成分として大気中へ放出されるという問題もあった。この問題を解決するために、特許文献２の場合は義歯の材質として人口樹脂に代えて焼却可能な蝋が利用されたものもある。
【０００３】
しかし、特許文献３の場合には、欠損歯を補填する目的で作られる義歯もある。特許文献４記載の顔面強制具は、葬儀用に作られた遺体の口腔に嵌めるように作られたマウスピースに関する。これらの死に装束は被葬者の生前へのそれぞれの思いと時間の壁を越えて被葬者を送る残された遺族の心が痛く通い合うものである。この心の通い合いはいつまでも継続する力となって消えてなくなることは無い。葬儀用義歯は会葬者にとっては魂のよりどころと成る。このような問題を解決するために提供される。
【０００４】
前記のように遺体に装着した義歯の噛み合わせがずれるとか、火葬時に有害成分が空気中に拡散するなどの問題があった。
【０００５】
この改善策として、口腔にマウスピースを嵌めるとしても遺体の口唇は軽度の開咬状態を呈している。火葬にするには使用する材質を焼却後有害成分が少ない蝋で作るいう方法もある。
【特許文献１】実用新案登録第３０５０３６８号公報
【特許文献２】特開２００２−０５２０５０号公報
【特許文献３】特開平１１−１５８４０４号公報
【特許文献４】特開２０００−２７６９７７号公報
【考案の開示】
【考案が解決しようとする課題】
【０００６】
解決しようとする問題点は、遺体の口腔に装着される義歯において、人の死後口腔は筋力の無力化により口腔安静位に見られる状態となり、口唇は軽度の開咬状態を呈するため正面より最大でも上下顎六前歯と一部側方の臼歯が観察される模様となり、この上下六前歯の見える範囲を審美口腔装具により口腔内に詰められた綿を見えなくし普通観を得ることを目的とする。審美口腔装具を硬直した遺体の口腔に装着することが容易になるようにするため、上顎と下顎の歯牙の噛み合わせ部が連結された接合部を有する審美口腔装具であって、前記噛み合わせ部がずれる心配が無いものを提供する。
【課題を解決するための手段】
【０００７】
本考案は、上記の目的を達するため上顎に前歯牙と下顎に前歯牙を設け、上顎歯牙と下顎歯牙の周囲に周縁部を有し、これを上下唇と上下歯茎により挟みその間に装着させる。このため、上顎と下顎に前記周縁部を有し上下の噛み合わせ部を樹脂で連結した接合部を有することを最も主要な特徴とする。
【考案の効果】
【０００８】
本考案の葬儀用審美口腔装具は、上顎歯牙と下顎歯牙の噛み合わせ部とを接合部に使用される樹脂で連結されたものであるから、歯牙の周囲に有する周縁部を唇と歯茎により挟みその間に装着させる場合に、上顎歯牙と下顎歯牙の噛み合わせがずれることなく装着できるので、遺体の口腔に義歯の装着が容易であるという利点がある。
【考案を実施するための最良の形態】
【０００９】
硬直した遺体の口腔に詰められた綿を見えないようにし、普通観を呈するという目的を、噛み合わせ部の接合のために使用された樹脂で上顎歯牙と下顎歯牙を連結して上下義歯の噛み合わせが外れてずれることができないようにし、上顎と下顎の周囲に設けた周縁部を唇と歯茎の間に入れて上下六前歯の見える範囲を審美口腔装具により覆うことで実現した。
【実施例１】
【００１０】
図１は、葬儀用審美口腔装具の実施例１の正面図である。図２は、実施例１の中央縦断面図である。図３は、実施例１の側面図である。図４は、実施例１の口腔装着状態を示す正面図である。図５は、実施例１の口腔装着状態を示す透視図である。１ａは上顎、１ｂは下顎、２，２ａ，２ｂ    は  前歯牙、３は  噛み合わせ部、４は  接合部、５は上唇、６は  下唇、７は  舌、８は上歯茎、９は  下歯茎、１０は  口腔に詰められた綿である。
【００１１】
実施例１は義歯床部と人工歯からできている。上顎１ａに配列した前歯牙２ａと、下顎１ｂに配列した前歯牙２ｂとの噛み合わせ部３の上下の歯牙を樹脂で連結する接合部４を有するものである。上歯牙と下歯牙とを融着することにより接続してもよい。ポリ乳酸樹脂で製作した上顎に配列した前歯牙２ａと、下顎に配列した前歯牙２ｂとの連結された接合部４はポリ乳酸樹脂で連結される。
【００１２】
上顎１ａと下顎１ｂにはこれらの顎に設けた歯牙２，２ａ，２ｂの周りに周縁部１を形成した。この周縁部１を唇５，６と歯茎８，９によりその間に挟着させ口腔に装着して口蓋部の舌７の上に詰められている綿１０が見えないようにして普通観を呈するものである。
【００１３】
葬儀用審美口腔装具の材質は、環境汚染を考え生分解性樹脂を用いて製作される。遺体の口腔に詰められた綿と共に葬儀用審美口腔装具も遺体と一緒に火葬にふされることになる。有害成分の発生を抑えることができる。
【００１４】
上顎１ａと下顎１ｂは、ピンクの歯肉色を呈するか、又は透明である。
【００１５】
上顎１ａと下顎１ｂに設けた歯牙２．２ａ，２ｂは、歯牙色Ａ−１〜２を使用する。さまざまな歯牙色を表す色記号の内、Ａ１は明るい色であり、数字が大きくなると濃い黄色である。日本人の平均値は歯牙色Ａ２〜３である。白色の度合いにより、Ａ，Ｂ．Ｃ等の記号で表示される。
【００１６】
このような葬儀用審美口腔装具により、遺体の尊厳を損なうことなく口元を審美的若しくは普遍的に普通観を呈するように回復し、参列されている会葬者から見送られる効果がある。
【産業上の利用可能性】
【００１７】
上顎の歯牙と下顎の歯牙とを連結してあって口腔装着をすることが容易である。噛み合わせ部を連結した上顎と下顎の周縁部を義歯の周囲に取付けることによって、歯茎が退化した死者の口腔に装着しても噛み合わせ部がずれることなく葬儀用審美装具として使用できる。病院、老人ホーム、葬儀屋などで使用される。
【図面の簡単な説明】
【００１８】
【図１】葬儀用審美口腔装具の実施方法を示した説明図である。（実施例１）
【図２】葬儀用審美口腔装具の実施方法を示した実施例１の中央縦断面図である。（実施例１）
【図３】葬儀用審美口腔装具の実施方法を示した実施例１の側面図である。（実施例１）
【図４】葬儀用審美口腔装具の実施方法を示した実施例１の口腔装着状態を示す正面図である。（実施例１）
【図５】葬儀用審美口腔装具の実施方法を示した実施例１の口腔装着状態を示す透視図である。（実施例１）
【符号の説明】
【００１９】
１    周縁部
１ａ    上顎
１ｂ    下顎
２，２ａ，２ｂ    前歯牙
３            
噛み合わせ部
４    接合部
５    上唇
６    下唇
７    舌
８    上歯茎
９    下歯茎
１０    綿
【図１】
0003126461.tif 000003
【図２】
0003126461.tif 000004
【図３】
0003126461.tif 000005
【図４】
0003126461.tif 000006
【図５】
0003126461.tif 000007